(57)【要約】【課題】簡単な構造により壁や天井等へ固定した状態であってもカメラの向きを変えることが可能なカメラ固定用アタッチメントの提供。【解決手段】カメラが着脱可能なテーブル１と、このテーブル１を回転可能に保持する凹部２０を備えたベース２と、テーブル１の裏側に嵌め込まれ、ベース２に固定されるホルダ３とを有し、テーブル１は、裏側にテーブル１の内側に向かって延設された爪部を備え、ホルダ３は、周縁部に爪部が通過可能な切欠部３０を備え、ベース２は、ホルダ３が固定された際に切欠部３０が配置される位置に、テーブル１の爪部が切欠部３０を通過できなくするリブ２４を備える。【選択図】図２
2006330125.tif 000002
【特許請求の範囲】
【請求項１】
カメラが着脱可能なテーブルと、
このテーブルを回転可能に保持する凹部を備えたベースと、
前記テーブルの裏側に嵌め込まれ、前記ベースに固定されるホルダとを有し、
前記テーブルは、裏側に前記テーブルの内側に向かって延設された爪部を備え、
前記ホルダは、周縁部に前記爪部が通過可能な切欠部を備え、
前記ベースは、前記ホルダが固定された際に前記切欠部が配置される位置に、前記テーブルの爪部が前記切欠部を通過できなくするストッパ部を備えた
カメラ固定用アタッチメント。
【請求項２】
前記ストッパ部は、さらに前記爪部の移動範囲を拘束するものである請求項１記載のカメラ固定用アタッチメント。
【請求項３】
前記ベースおよびホルダは、互いの固定位置を決めるための凹凸部を備えた請求項１または２に記載のカメラ固定用アタッチメント。
【請求項４】
前記爪部、切欠部およびストッパ部は、複数備えられた請求項１から３いずれか１項に記載のカメラ固定用アタッチメント。
【請求項５】
前記テーブルの回転軸周りであって前記テーブルとホルダとの間にゴム製Ｏリングを備えた請求項１から４いずれか１項に記載のカメラ固定用アタッチメント。
【請求項６】
さらに、前記カメラに接続されるコードに取り付けられるブッシングを有し、
前記ベースは、前記ブッシングを固定する固定部を備えた請求項１から５いずれか１項に記載のカメラ固定用アタッチメント。
【請求項７】
前記ベースは、壁および天井の両方に同時に接触可能なＬ字状の接触面を有し、かつ前記接触面のそれぞれに前記壁および天井へ固定するための固定用穴を有する請求項１から６いずれか１項に記載のカメラ固定用アタッチメント。
【発明の詳細な説明】
【技術分野】
【０００１】
本発明は、カメラに着脱して使用するカメラ固定用アタッチメントに関し、より詳しくは、カメラを建物の壁や天井等へ固定するためのカメラ固定用アタッチメントに関する。
【背景技術】
【０００２】
既設のネットワークに接続するだけで、同じネットワークに接続された機器により映像を表示することが可能なネットワークカメラが開発されている。また、近年では、接続の容易さから、ネットワークの無線化が進んでおり、ネットワークカメラについても無線ネットワークに接続することができるように無線通信ユニットを備えたものが存在する。
【０００３】
さらに、この無線通信ユニットを備えたネットワークカメラ（以下、「ワイヤレスカメラ」）と称す。）は配線が不要であるため、建物の壁や天井等への設置が容易であり、通常、ワイヤレスカメラに固定用のアタッチメントを取り付け、このアタッチメントを介して壁や天井等へ固定する。従来、このカメラ固定用アタッチメントは１ピース構造であり、カメラを取り付けた後は向きを変えることができないため、カメラを壁や天井等へ固定する際に、その撮影角度を考慮しながら取り付ける必要があった。
【０００４】
なお、カメラに予め回転機構を設けたものとして、例えば、特許文献１，２に記載のものがある。特許文献１に記載の回転台装置は、カメラと、カメラを収納するカメラ筐体と、カメラ筐体を回転させる回転台とを備えたものであり、カメラに予め回転機構を設けて回転可能としている。また、特許文献２に記載のカメラについても、カメラ部と、カメラ部を回動する回転部とを備えており、カメラに予め回転機構を設けて回転可能としている。これらのものは、カメラを回転可能にするため、非常に複雑な構造を有しており、カメラと回転機構とを分離したり、カメラを回転機構に固定したりすることは考慮されていない。
【特許文献１】特開２００２−１６９２１９号公報
【特許文献２】特開２００２−２８７２３９号公報
【発明の開示】
【発明が解決しようとする課題】
【０００５】
本発明は、カメラに着脱して使用するカメラ固定用アタッチメントにおいて、簡単な構造により壁や天井等へ固定した状態であってもカメラの向きを変えることが可能なカメラ固定用アタッチメントを提供することを目的とする。
【課題を解決するための手段】
【０００６】
上記課題を解決するため、本発明のカメラ固定用アタッチメントは、カメラが着脱可能なテーブルと、このテーブルを回転可能に保持する凹部を備えたベースと、テーブルの裏側に嵌め込まれ、ベースに固定されるホルダとを有し、テーブルは、裏側にテーブルの内側に向かって延設された爪部を備え、ホルダは、周縁部に爪部が通過可能な切欠部を備え、ベースは、ホルダが固定された際に切欠部が配置される位置に、テーブルの爪部が切欠部を通過できなくするストッパ部を備えたものである。
【発明の効果】
【０００７】
本発明のカメラ固定用アタッチメントによれば、簡単な構造により、壁や天井等へ固定した状態であってもカメラの向きを変えることが可能となる。
【発明を実施するための最良の形態】
【０００８】
本願の第１の発明は、カメラが着脱可能なテーブルと、このテーブルを回転可能に保持する凹部を備えたベースと、テーブルの裏側に嵌め込まれ、ベースに固定されるホルダとを有し、テーブルは、裏側に前記テーブルの内側に向かって延設された爪部を備え、ホルダは、周縁部に爪部が通過可能な切欠部を備え、ベースは、ホルダが固定された際に切欠部が配置される位置に、テーブルの爪部が切欠部を通過できなくするストッパ部を備えたカメラ固定用アタッチメントであり、このカメラ固定用アタッチメントの組立時には、テーブルの爪部とホルダの切欠部との位置を合わせてホルダをテーブルの裏側に嵌め込み、テーブルの爪部とホルダの切欠部との位置を外してから、ホルダの切欠部とベースのストッパ部との位置を合わせてホルダをベースの凹部に固定する。これにより、テーブルの爪部はホルダの切欠部から外れることがなくなる。したがって、このカメラ固定用アタッチメントのテーブルにカメラを取り付け、ベースを壁や天井等へ固定した状態であっても、カメラはテーブルとともにベースから脱落することなく回転し、その向きを変えることが可能となる。
【０００９】
本願の第２の発明は、ストッパ部が、さらに爪部の移動範囲を拘束するものであるカメラ固定用アタッチメントであり、テーブルの爪部はストッパ部により移動範囲が拘束されるので、このストッパ部の配置により自由自在にカメラの回転角度を設定することが可能となる。
【００１０】
本願の第３の発明は、ベースおよびホルダが、互いの固定位置を決めるための凹凸部を備えたカメラ固定用アタッチメントであり、ベースとホルダとの固定の際に互いの凹凸部を合わせて固定することにより、ホルダの切欠部とベースのストッパ部との位置を容易に合わせることが可能となり、組立作業が容易となる。さらに、確実にホルダの切欠部とベースのストッパ部との位置を合わせることが可能となる。
【００１１】
本願の第４の発明は、爪部、切欠部およびストッパ部が、複数備えられたカメラ固定用アタッチメントであり、テーブルと、ベースと、ホルダとの動きを複数箇所で拘束することが可能となり、安定してカメラをテーブルとともにベースから脱落させることなく回転させることが可能となる。
【００１２】
本願の第５の発明は、テーブルの回転軸周りであってテーブルとホルダとの間にゴム製Ｏリングを備えたカメラ固定用アタッチメントであり、テーブルとホルダとの間に備えたゴム製Ｏリングの摩擦力によりテーブルの回転時に抵抗力が発生する。これにより、テーブルの滑りが抑制され、テーブルの回転を止めてカメラの向きを安定させることができる。
【００１３】
本願の第６の発明は、さらに、カメラに接続されるコードに取り付けられるブッシングを有し、ベースが、ブッシングを固定する固定部を備えたカメラ固定用アタッチメントであり、カメラに接続されるコードに取り付けられたブッシングをベースの固定部に固定することで、このブッシングはカメラの回転角度に関わらずベースの固定部に固定されるので、このブッシングの取付部分からカメラまでのコードに余裕を持たせることで、カメラの回転角度に関わらず、コードの負荷がカメラに掛からなくすることができる。これにより、カメラがコードに引っ張られて回転することがなくなる。
【００１４】
本願の第７の発明は、ベースが、壁および天井の両方に同時に接触可能なＬ字状の接触面を有し、かつ接触面のそれぞれに壁および天井へ固定するための固定用穴を有するカメラ固定用アタッチメントであり、Ｌ字状のどちらの接触面であっても壁および天井へ固定することが可能となり、取付の自由度が向上する。
【実施例】
【００１５】
以下、本発明の実施の形態について、図面を参照して説明する。
【００１６】
図１は本発明の実施の形態におけるカメラ固定用アタッチメントの斜視図、図２は図１のカメラ固定用アタッチメントの分解斜視図、図３は図１のカメラ固定用アタッチメントにカメラを取り付けた状態を示す斜視図、図４は図３の裏面側の部分斜視図である。
【００１７】
図１から図４に示すように、本発明の実施の形態におけるカメラ固定用アタッチメント１００は、カメラＣが着脱可能な略円盤状のテーブル１と、このテーブル１を回転可能に保持するベース２と、テーブル１の裏側に嵌め込まれ、ベース２に固定されるホルダ３とを有する。ベース２は、テーブル１が嵌り込むクレータ状の凹部２０を備える。
【００１８】
図５はテーブル１の詳細を示す図であって、（ａ）は上面図、（ｂ）は背面図、（ｃ）は左側面図、（ｄ）は右側面図、（ｅ）は正面図、（ｆ）は下面図、（ｇ）は（ｆ）に示すＢ−Ｂ断面図である。
【００１９】
図５に示すように、テーブル１は、円形の天板部１０と天板部１０の円周に沿って立設された側壁部１１とから構成される。天板部１０の表側は、カメラＣを着脱可能に固定する部分である。また、天板部１０の裏側は、凹部１２となっている。ホルダ３は、この凹部１２に嵌め込まれる。また、テーブル１の裏側には、テーブル１の内側に向かって延設された複数の爪部１３を備える。なお、本実施の形態においては、爪部１３は１２０度間隔で３カ所に形成されている。
【００２０】
図６はホルダ３の詳細を示す図であって、（ａ）は上面図、（ｂ）は背面図、（ｃ）は左側面図、（ｄ）は右側面図、（ｅ）は正面図、（ｆ）は下面図である。
【００２１】
図６に示すように、ホルダ３は、テーブル１の凹部１２に嵌め込まれる略円盤状のものであり、周縁部にはテーブル１の爪部１３がそれぞれ通過可能な複数の切欠部３０を備える。また、ホルダ３のベース２に対向する面（図６の（ｆ）に示される面）には、ホルダ３をベース２に固定する際に、互いの固定位置を決めるための凹凸部を形成する凸部３１が複数箇所に形成されている。なお、凸部３１は１箇所とすることもできるが、本実施の形態においては回転負荷を分散するために６０度間隔で均等に３個配置し、さらに方向性を持たせるために１個追加している。
【００２２】
図７はベース２の詳細を示す図であって、（ａ）は上面図、（ｂ）は背面図、（ｃ）は左側面図、（ｄ）は右側面図、（ｅ）は正面図、（ｆ）は下面図である。
【００２３】
図７に示すように、ベース２は、壁および天井の両方に同時に接触可能なＬ字状の接触面２１，２２を有する。接触面２１，２２は互いに直角をなす。また、接触面２１，２２には、それぞれに壁および天井へ固定するための複数の固定用穴２１ａ，２２ａを有する。また、ベース２の凹部２０には、ホルダ３が固定される際に、ホルダ３の凸部３１と嵌合して凹凸部を形成する凹部としての穴２３が対応する位置に形成されている。
【００２４】
また、ベース２の凹部２０には、ホルダ３が嵌め込まれたテーブル１が回転可能に保持されるが、このとき、テーブル１が脱落しないようにするためのストッパ部としての複数のリブ２４を備える。このリブ２４は、ホルダ３のすべての凸部３１がベース２の穴２３に嵌め合わされて固定された際に、ホルダ３の切欠部３０が配置される位置にそれぞれ２列ずつ設けられており、ホルダ３の固定後はテーブル１の爪部１３がホルダ３の切欠部３０を通過できなくするものである。
【００２５】
なお、カメラ固定用アタッチメント１００の組立時には、テーブル１の各爪部１３とホルダ３の各切欠部３０との位置を合わせてホルダ３をテーブル１の裏側の凹部１２に嵌め込み、テーブル１またはホルダ３を回してテーブル１の各爪部１３とホルダ３の各切欠部３０との位置を外してから、ホルダ３の各切欠部３０とベース２のリブ２４との位置を合わせてホルダ３をベース２の凹部２０に固定する。これにより、テーブル１の各爪部１３はホルダ３の各切欠部３０から外れることがなくなる。
【００２６】
なお、リブ２４は、さらにテーブル１の爪部１３の移動範囲を隣り合うリブ２４間内に拘束するものである。図８の（ａ）〜（ｃ）はこのリブ２４によるテーブル１の回転角度の制限の様子を示す上面透視図である。図８の（ａ）に示す状態では、テーブル１の各爪部１３が隣り合うリブ２４間の中心に位置する。図８の（ｂ）は（ａ）の状態から反時計回りに約６０度（爪部１３がリブ２４に接触するまで）回転させた状態を示している。図８の（ｃ）は逆に（ａ）の状態から時計回りに約６０度（爪部１３がリブ２４に接触するまで）回転させた状態を示している。すなわち、テーブル１の爪部１３とリブ２４との位置によりテーブル１の回転角度は図８の（ｂ）に示す位置から（ｃ）に示す位置までに制限される。
【００２７】
図９は図１のＡ−Ａ断面図であって、（ａ）はテーブル１、ベース２およびホルダ３の組立状態を示す図、（ｂ）はベース２を分解した状態を示す図である。
【００２８】
本実施の形態におけるカメラ固定用アタッチメント１００は、図９の（ｂ）に示すように、テーブル１とホルダ３とを組み立てた状態でベース２の凹部２０に嵌め込み、ホルダ３とベース２とをねじ４で固定する（図９（ａ）参照。）。なお、テーブル１の中心部には回転軸としての筒状部１４が形成されており、この筒状部１４の周りにはゴム製のＯリング５が嵌め込まれている。このＯリング５は、ホルダ３の中心部に形成された段差部３２との間に圧縮状態で嵌め込まれている。
【００２９】
また、本実施の形態におけるカメラ固定用アタッチメント１００は、テーブル１へのカメラＣの着脱を容易にするためのロック機構６を備える。図１０はロック機構６部分の拡大断面図である。
【００３０】
図１０に示すように、ロック機構６は、ロック部材６０とスプリング６１とから構成される。ロック部材６０は、カメラＣの脚部Ｃ1の裏側の凹部Ｃ2に係わり合う鉤部６２を備える。また、テーブル１の天板部１０上にも、この天板部１０の上面に沿って平行にスライドさせて取り付けられるカメラＣの脚部Ｃ1の上面と係わり合う一対の鉤部７を天板部１０の端部の対向する位置に有する。
【００３１】
ロック部材６０はスプリング６１によってテーブル１の上方すなわちカメラＣ側に向かって付勢されている。カメラＣはテーブル１の天板部１０の上面に沿ってロック機構６の反対側の端面から平行（図１０に白抜き矢印にて示す向き）にスライドさせて取り付けられる。このとき、カメラＣの脚部Ｃ1は、天板部１０の鉤部７と係わり合い、ガイドされながら、ロック機構６側へ向かう。
【００３２】
ロック部材６０は、カメラＣの脚部Ｃ1が鉤部６２の斜面を乗り越える際、スプリング６１側に押し込まれることにより、スプリング６１を圧縮する。カメラＣの脚部Ｃ1が鉤部６２を乗り越えると、スプリング６１の圧縮が開放され、鉤部６２がカメラＣの脚部Ｃ1の裏側の凹部Ｃ2に係わり合い、カメラＣがロックされる。なお、カメラＣの取り外しの際は、ロック部材６０をスプリング６１側に押し込むことにより、鉤部６２をカメラＣの脚部Ｃ1の裏側の凹部Ｃ2から外し、カメラＣを取り付け時と逆方向にスライドさせる。
【００３３】
また、本実施の形態におけるカメラ固定用アタッチメント１００は、カメラＣに接続されるコードＣ3に取り付けられるブッシング８を有する。ブッシング８は、コードＣ3の決められた位置に予め固定されている。また、ベース２には、コードＣ3を引っ掛けるフック２５と、ブッシング８を引っ掛けて固定する固定穴２６とを備える。カメラＣに接続されるコードＣ3は、カメラＣとベース２との間で直接フック２５に引っ掛けられるのではなく、このコードＣ3に取り付けられたブッシング８を介して固定穴２６に固定される。フック２５には、このブッシング８よりも先の部分が補助的に引っ掛けられる。
【００３４】
以上のように、本実施の形態におけるカメラ固定用アタッチメント１００によれば、組み立てられたテーブル１の爪部１３はホルダ３の切欠部３０から外れることがない。したがって、このカメラ固定用アタッチメント１００のテーブル１にカメラＣを取り付け、ベース２を壁や天井等へ固定した状態であっても、カメラＣはテーブル１とともにベース２から脱落することなく回転し、その向きを変えることが可能である。
【００３５】
また、テーブル１の爪部１３の移動範囲がリブ２４により制限されるので、このリブ２４の配置によりカメラＣの回転角度が決定される。したがって、この爪部１３とリブ２４との配置により、自由自在にカメラＣの回転角度を設定することが可能である。
【００３６】
また、ベース２およびホルダ３には、互いの固定位置を決めるための凹凸部を形成する穴２３と凸部３１を備えるので、ベース２とホルダ３との固定の際にこれらの穴２３と凸部３１を合わせて固定することにより、ホルダ３の切欠部３０とベース２のリブ２４との位置を容易かつ確実に合わせることが可能であり、組立作業が容易である。
【００３７】
また、本実施の形態におけるカメラ固定用アタッチメント１００では、テーブル１の爪部１３、ホルダ３の切欠部３０およびベース２のリブ２４が、それぞれ複数設けられているので、テーブル１と、ベース２と、ホルダ３との動きが複数箇所で拘束され、安定してカメラＣをテーブル１とともにベース２から脱落させることなく回転させることが可能である。
【００３８】
また、本実施の形態におけるカメラ固定用アタッチメント１００は、テーブル１とホルダ３との間にゴム製のＯリング５を備えるので、このＯリング５の摩擦力によりテーブル１の回転時に抵抗力が発生する。したがって、テーブル１の回転時にこのＯリング５による抵抗力が加わるので、テーブル１の滑りが抑制され、テーブル１の回転を止めてカメラＣの向きを安定させることができる。
【００３９】
また、カメラＣに接続されるコードＣ3は、ブッシング８によりベース２の固定穴２６に固定されているので、このブッシング８の取付部分からカメラＣまでのコードＣ3に余裕を持たせることで、カメラＣの回転角度に関わらず、コードＣ3の負荷がカメラＣに掛からなくなる。したがって、カメラＣが逆にコードＣ3に引っ張られて回転することがなくなり、カメラＣの向きを安定させることができる。
【００４０】
また、本実施の形態におけるカメラ固定用アタッチメント１００は、ベース２が、壁および天井の両方に同時に接触可能なＬ字状の接触面２１，２２を有し、かつ接触面２１，２２のそれぞれに壁および天井へ固定するための固定用穴２１ａ，２２ａを有するので、このどちらの接触面２１，２２であっても壁および天井へ固定することが可能であり、取付の自由度が高い。
【００４１】
また、本実施の形態におけるカメラ固定用アタッチメント１００では、テーブル１の天板部１０上をスライドさせるだけで、前述のロック機構６によりカメラＣがロックされるのでカメラＣの取り付けが容易である。また、ロック部材６０を押し込むことにより、カメラＣを逆方向にスライドさせることが可能となるので、取り外しも容易である。
【産業上の利用可能性】
【００４２】
本発明のカメラ固定用アタッチメントは、カメラを建物の壁や天井等へ固定するためのアタッチメントとして有用である。特に、本発明のカメラ固定用アタッチメントは、簡単な構造により壁や天井等へ固定した状態であってもカメラの向きを変えることが可能なものとして好適である。
【図面の簡単な説明】
【００４３】
【図１】本発明の実施の形態におけるカメラ固定用アタッチメントの斜視図
【図２】図１のカメラ固定用アタッチメントの分解斜視図
【図３】図１のカメラ固定用アタッチメントにカメラを取り付けた状態を示す斜視図
【図４】図３の裏面側の部分斜視図
【図５】テーブルの詳細を示す図であって、（ａ）上面図、（ｂ）背面図、（ｃ）左側面図、（ｄ）右側面図、（ｅ）正面図、（ｆ）下面図、（ｇ）（ｆ）に示すＢ−Ｂ断面図
【図６】ホルダの詳細を示す図であって、（ａ）上面図、（ｂ）背面図、（ｃ）左側面図、（ｄ）右側面図、（ｅ）正面図、（ｆ）下面図
【図７】ベースの詳細を示す図であって、（ａ）上面図、（ｂ）背面図、（ｃ）左側面図、（ｄ）右側面図、（ｅ）正面図、（ｆ）下面図
【図８】リブによるテーブルの回転角度の制限の様子を示す上面透視図
【図９】図１のＡ−Ａ断面図であって、（ａ）テーブル、ベースおよびホルダの組立状態を示す図、（ｂ）ベースを分解した状態を示す図
【図１０】ロック機構部分の拡大断面図
【符号の説明】
【００４４】
１    テーブル
２    ベース
３    ホルダ
４    ねじ
５    Ｏリング
６    ロック機構
７    鉤部
８    ブッシング
１０    天板部
１１    側壁部
１２    凹部
１３    爪部
１４    筒状部
２０    凹部
２１，２２    接触面
２１ａ，２２ａ    固定用穴
２３    穴
２４    リブ
２５    フック
２６    固定穴
３０    切欠部
３１    凸部
３２    段差部
６０    ロック部材
６１    スプリング
６２    鉤部
１００    カメラ固定用アタッチメント
【図１】
2006330125.tif 000003
【図２】
2006330125.tif 000004
【図３】
2006330125.tif 000005
【図４】
2006330125.tif 000006
【図５】
2006330125.tif 000007
【図６】
2006330125.tif 000008
【図７】
2006330125.tif 000009
【図８】
2006330125.tif 000010
【図９】
2006330125.tif 000011
【図１０】
2006330125.tif 000012